(57)【要約】【課題】  レリースワイヤの牽引・弛緩動作を利用して閂杆を作動させるようにした自転車用錠を、比較的にコンパクトに、かつ、安価に製作できるようにする。【構成】  自転車の車体に取り付けられて、前進時に直杆形の閂杆３をスポークの間に介入させるようにした箱形の自転車用錠において、ケース本体１内に進退自在に嵌装された閂杆１は、後端に備えた接続部３’に、操作基端部をケース本体１の外に備え、中間部分をケース本体１内に備えたガイドローラ４に支承されたレリースワイヤ５の末端部５ｂを固定して、該ワイヤの牽引により閂杆を施錠位置に前進させる。上記閂杆１に、レリースワイヤ５の牽引により圧縮される閂ばね１１を備えさせ、該ワイヤの弛緩時に閂杆の後退を追従させるようにし、ケース本体内でレリースワイヤの中間部分を支承するガイドローラは、閂杆の出入口７を具えたケース本体の前端部と、ワイヤの導入部６に近接した位置とに備える。【選択図】    図１
0003111938.tif 000002
【実用新案登録請求の範囲】
【請求項１】
自転車の車体に取り付けられて、前進時に直杆形の閂杆をスポークの間に介入させるようにした箱形の自転車用錠において、ケース本体内で進退自在に嵌装された前記閂杆は、後端に備えた接続部に、操作端部をケース本体の外に備え、中間部分をケース本体内に備えたガイドローラに支承されたレリースワイヤの末端部を固定して、上記ワイヤの牽引と共に前進するように構成されていることを特徴とする自転車用錠。
【請求項２】
前記閂杆は、前記レリースワイヤの牽引により圧縮される閂ばねを備えて、上記ワイヤの弛緩動作に上記閂杆の後退動作を追従させるように構成され、前記ガイドローラは、上記閂杆の出入口を具えた前記ケース本体の前端部と、上記ワイヤの導入部に近接した位置とにそれぞれ備えたことを特徴とする請求項１記載の自転車用錠。
【考案の詳細な説明】
【技術分野】
【０００１】
本考案は、自転車の車体に取り付けられて、前進時に直杆形の閂杆をスポークの間に介入させるようにした箱形の自転車用錠に関し、閂杆をワイヤの牽引により施錠位置に前進させるようにしたことを特長とするものである。
【背景技術】
【０００２】
ワイヤの牽引により閂杆を施錠位置に前進させるようにした自転車用錠には、例えば本出願人の先願に特許文献１、２がある。
また、スタンドを起立させて自転車を施錠するリング錠の施錠動作に連動するワイヤの牽引によりスタンドのロックプレートに付設した閂杆をロック位置に前進させるようにした自転車用錠装置には、同じく本出願人の先願に特許文献３、４がある。さらに、スタンドの起立動作に従動するワイヤに牽引させて、自転車用錠の錠杆を施錠位置に前進させるようにした自転車用錠装置には、特許文献５がある。
【０００３】
【特許文献１】特開２００４−１６２３７６号公報（第１頁、図１参照）
【特許文献２】特開平１１−５９５２４号公報（第１頁、第１図参照）
【特許文献３】特開２００４−２８４５０２号公報（第１頁、図１参照）
【特許文献４】特開２００４−６６９４８号公報（第１頁、第１図参照）
【特許文献５】特開２００２−１７８９７０号公報（第１頁、第１図参照）
【考案の開示】
【考案が解決しようとする課題】
【０００４】
上記特許文献１、２、３、４、５の錠前は、何れもリング錠あるいはサークル錠に備えられていてスライド行程が大きい円弧形の閂杆の施錠・開錠動作とレリースワイヤの牽引・弛緩動作を連動させるようにしたものであったので、錠前本体が比較的に大型で高価になる欠点があった。
そのため、レリースワイヤの牽引・弛緩動作を利用して閂杆を作動させるようにした自転車用錠を比較的にコンパクトに、かつ、安価に製作できるようにすることが、この種の錠前において解決すべき課題となっていた。
【課題を解決するための手段】
【０００５】
そこで本考案は、上記の課題を解決するために、自転車の車体に取り付けられて、前進時に直杆形の閂杆をスポークの間に介入させるようにした箱形の自転車用錠において、ケース本体内で進退自在に嵌装された前記閂杆は、後端に備えた接続部に、操作端部をケース本体の外に備え、中間部分をケース本体内に備えたガイドローラに支承されたレリースワイヤの末端部を固定して、上記ワイヤの牽引と共に前進するように構成したことを特徴とする自転車用錠を提供するものである。
【０００６】
また、請求項２の考案は、請求項１の考案において、閂杆に、レリースワイヤの牽引により圧縮される閂ばねを備えさせて、上記ワイヤの弛緩動作に上記閂杆の後退動作を追従させるように構成し、ガイドローラは、上記閂杆の出入口を具えたケース本体の前端部と、上記ワイヤの導入部に近接した位置とにそれぞれ備えることによって、レリースワイヤの牽引と弛緩に閂杆の進退をよりスムーズに従動させるようにしたことを特徴とするものである。
【考案の効果】
【０００７】
以上の構成からなる本考案自転車用錠は、レリースワイヤの牽引に従動する直杆形の閂杆を箱形の錠ケース内に嵌装したので、錠自体を比較的にコンパクトに、かつ、安価に製作することができる。また、ガイドローラに支承されたレリースワイヤに閂杆を追従させるようにすることによって、組立が容易にでき、部材間のクリアランスを最小にして誤差の少ない作動が期待できる箱錠を提供できる。さらに、レリースワイヤと閂杆との間に、レバーに比べて回転する際の抵抗が少ないガイドローラを介設することによって、レリースワイヤの牽引による施錠操作が無理なく軽くできる。
以上のようにして本考案は前記の課題を解決したものである。
【考案を実施するための最良の形態】
【０００８】
自転車の車体に取り付けられて、前進時に直杆形の閂杆をスポークの間に介入させるようにした箱形の自転車用錠において、
ケース本体内に進退自在に嵌装された閂杆は、後端に備えた接続部に、操作基端部をケース本体の外に備え、中間部分をケース本体内に備えたガイドローラに支承されたレリースワイヤの末端部を固定し、レリースワイヤの牽引によって閂杆を施錠位置に前進させるようにする。
また、上記閂杆に、レリースワイヤの牽引により圧縮される閂ばねを備えさせ、レリースワイヤの弛緩時に閂杆の後退を自動的に追従させるようにする。
ケース本体内でレリースワイヤの中間部分を支承するガイドローラは、閂杆の出入口を具えたケース本体の前端部と、ワイヤの導入部に近接した位置との２個所に備える。
【実施例】
【０００９】
以下に本考案の実施例を図面について説明する。
図１は、実施例を示す一部切欠縦断側面図、図２は、実施例を示す一部切欠縦断正面図、図３は、実施例に付設する施錠操作部の一部切欠縦断面図、図４は、施錠操作部の一部切欠横断平面図である。
【００１０】
図において、１は、ケース本体、２は、図２に示すようにケース本体１の周縁と一体に結合して箱形のケースを形成する自転車への取付け金具、３は、ケース本体１内に嵌装されて、図１の左右方向に進退する直杆形の閂杆、４は、それぞれ閂杆３の進退方向に回転面を沿わせて、ケース本体１の前端部（図１左手）に軸受された大径のガイドローラ４ａと、ケース本体１の上端部（図１右上）に軸受された小径のガイドローラ４ｂとからなる計２個のガイドローラ、５は、ケース本体１の上端部（図１右上）に設けた導入部６からケース本体１内に導入され、中間部分を、導入部６の直下に位置させた小径のガイドローラ４ｂと、ケース本体１の前端部に備えた大径のガイドローラ４ａとに支承され、末端部５ｂを閂杆３の後端部に設けた接続部３’に固定したレリースワイヤである。
【００１１】
７は、ケース本体１の前端部に開口する閂杆３の出入口、８は、大径のガイドローラ４ａを取り付けた回転体、９は、その取付け軸、１０は、他方のガイドローラ４ｂの支持軸、１１は、閂杆３に巻回されて閂杆３の前進時に圧縮される閂ばね、１２は、閂杆３の後端部に設けた接続部３’のガイド部、１３は、導入部６の下方に設けたレリースワイヤ５のガイドである。
【００１２】
この実施例において、ケース本体１の外に備えたレリースワイヤ５の基端部５ａは、図３、４に示す施錠操作部１４内に導入されている。
施錠操作部１４を説明する図３、４において、１５は操作部ケース、１６はレリースワイヤ５の基端部５ａを接続して操作部ケース１５の一側に昇降自在に備えたスライダ、１７はスライダ１６の側面に具えた楔形の凹部１６’に楔形の先端を係合させ、両楔形の係合と付勢ばね１８に押圧されて、スライダ１６を下降位置に常時保持するストッパー、１９はスライダ１６の上部に連設したリターンばね、２０はストッパー１７を進退させる回転レバー、２１は回転レバー２０を支配するシリンダ錠型の施錠機構、２２は施錠機構２１を支配するキー、２３は内端をスライダ１６に連結して操作部ケース１５の外に突出する操作摘みである。
【００１３】
次ぎにこの施錠操作部１４の作動とそれに従動するレリースワイヤ５の施錠牽引動作を説明する。
図３に示す状態から操作摘み２３を引き上げて、リターンばね１９に抗してスライダ１６を上昇させると、まず、凹部１６’がストッパー１７から脱出する。そして、スライダ１６の下面がストッパー１７との係合位置に達するまで上がると、スライダ１６は付勢ばね１８に押圧されて復動するストッパー１７に上昇位置で掛止される。
【００１４】
スライダ１６の上昇によってレリースワイヤ５が牽引されると、ガイドローラ４（４ａ、４ｂ）を介して直杆形の閂杆３がケース本体１内で図示左にスライドして出入口７から先端を突出させ、図中虚線で示す施錠位置に前進する。
閂杆３の施錠位置は、上述のようにスライダ１６の下面がストッパー１７の先端に掛止されることにより保持され、同時にキー２２は、施錠機構２１から抜き出せるようになり、次ぎに該キー２２を開錠操作するまで施錠機構２１とストッパー１７とによる閂杆３の施錠状態が継続する。
【００１５】
この施錠状態から開錠するために、キー２２を介して施錠機構２１を開錠すると、回転レバー２０の回転と共にストッパー１７が一旦後退し、掛止を開放されたスライダ１６はリターンばね１９に付勢されて下降して復位し、同時に復位する凹部１６’とストッパー１７とが再び係合する。
一方、スライダ１６の下降に伴ってレリースワイヤ５が弛緩すると、閂ばね１１の復帰作用により閂杆３が後退して開錠状態にもどる。
【産業上の利用可能性】
【００１６】
本考案において、閂杆を嵌装する箱形のケースは、実施例に示すような角丸形に近い形状に限らず、例えば、矩形に近い角形であってもよく、その形状は本考案の要旨に沿って適宜に選択できることはいうまでもない。また、レリースワイヤ５の施錠操作部１４は、自転車の使用と、施錠・開錠に都合の良い位置を選んで取り付けられることが望ましく、例えば、ハンドルから手を延ばせる位置が好適するが、その形態は実施例の態様に限らない。また、本考案に係る自転車用錠は、前輪用、後輪用を問わない。さらに本考案に係る自転車用錠を別の自転車用錠と組み合せて用いるような使用もある。
【図面の簡単な説明】
【００１７】
【図１】図１は実施例を示す一部切欠縦断側面図である。
【図２】図２は実施例を示す一部切欠縦断正面図である。
【図３】図３は実施例に付設する施錠操作部の一部切欠縦断面図である。
【図４】図４は施錠操作部の一部切欠横断平面図である。
【符号の説明】
【００１８】
１  ケース本体
２  取付け金具
３  閂杆  （３’  接続部）
４  ガイドローラ  （４ａ、４ｂ）
５  レリ−スワイヤ  （５ａ  基端部、５ｂ  末端部）
６  導入部
７  出入口
８  回転体
９  取付け軸
１０  支持軸
１１  閂ばね
１２  ガイド部
１３  ワイヤガイド
１４  施錠操作部
１５  操作部ケース
１６  スライダ  （１６’  凹部）
１７  ストッパー
１８  付勢ばね
１９  リターンばね
２０  回転レバー
２１  施錠機構
２２  キー
２３  操作摘み
【図１】
0003111938.tif 000003
【図２】
0003111938.tif 000004
【図３】
0003111938.tif 000005
【図４】
0003111938.tif 000006